(57)【特許請求の範囲】
【請求項１】
法面の地盤に固定したアンカーボルトに縦桟と横桟よりなって、格子状をなす受圧構造物を差込んだのち、その上に押え板を差込んで重ね、ついで押え板より突出するアンカーボルトの突出端にナットを捩込んで締付けて固定する受圧構造物の固定方法において、受圧構造物が複数個重ねた受圧構造物よりなり、各受圧構造物は縦桟と横桟より構成される升目が同形同大をなし、かつ押え板には断面が上記升目と同一の脚が突設され、該脚を複数個重ねた受圧構造物の升目に通すことを特徴とする受圧構造物の固定方法。
【請求項２】
押え板の代わりにクロスないし十字形に組合せた形鋼を用いることを特徴とする請求項１記載の受圧構造物の固定方法。
【請求項３】
各受圧構造物は升目のサイズが異なり、脚は複数でそれぞれ断面が最小サイズの升目以下のサイズであることを特徴とする請求項２記載の受圧構造物の固定方法。
【発明の詳細な説明】
【０００１】
【発明が属する技術分野】
本発明は、法面の安定化のため法面にアンカーボルトによって固定される受圧構造物の固定方法に関する。
【０００２】
【従来技術】
近年、法面の安定化のためプレキャストコンクリート製のブロックを法面の土砂荷重を受ける受圧構造物として用い、法面の地盤に固定したアンカーボルトに受圧構造物を差込み、アンカーボルト突出端にナットを捩込んで締付けて固定する工法が採用され、軽量化を図るためにコンクリート製ブロックに代え、ガラス繊維強化発泡ウレタン（ＦＦＵ）製の受圧板を用いたものも知られる。
【０００３】
法面の安定化工法としてはこのほか、法面へのコンクリート打設により法枠を構築する工法、工場生産されたコンクリートブロックを法面に設置して法枠を構築する工法も知られる。
【０００４】
【発明が解決しようとする課題】
法面に法枠を設置する工法においては、法枠内に植生して緑化を図ることが可能であるが、法面へのコンクリート打設により法枠を構築する工法は、法面に型枠を設置したり、鉄筋を組み立てゝコンクリート打設することが必要で、作業が煩雑となって作業能率が悪く、とくに急斜面の場合施工が困難である。コンクリートブロックを法面に設置する工法は上記の工法に比べると作業能率はよいが、コンクリートブロックを法面に組付けて固定するのにかなりな手間がかゝる。
【０００５】
これに対し受圧構造物は、一本のアンカーボルトに取付けて、その突出端に捩込んだナットを締付けるだけで固定できるため、上記工法に比べ施工時の作業能率がよく、また比較的広い面積で法面の土砂荷重を受けることができるが、受圧構造物を取付けた法面は景観に難点がある。
本発明は、植生が可能で、緑化により景観を向上させることができる受圧構造物の固定方法を提供することを目的とする。
【０００６】
【課題の解決手段】請求項１記載の発明は、法面の地盤に固定したアンカーボルトに縦桟と横桟よりなって、格子状をなす受圧構造物を差込んだのち、その上に押え板を差込んで重ね、ついで押え板より突出するアンカーボルトの突出端にナットを捩込んで締付けて固定する受圧構造物の固定方法において、受圧構造物が複数個重ねた受圧構造物よりなり、各受圧構造物は縦桟と横桟より構成される升目が同形同大をなし、かつ押え板には断面が上記升目と同一の脚が突設され、該脚を複数個重ねた受圧構造物の升目に通すことを特徴とする
【０００７】
本発明によると、脚を差し込むことにより各受圧構造物の向き及び位置が規制され、各受圧構造物の升目が揃うようになる。本発明において、押え板より突設される脚は一つでもよいが、好ましくは複数で、複数か所において挿し込まれる。これにより各受圧構造物の升目が確実に揃うようになる。
【０００８】
請求項２記載の発明は、請求項１記載の発明において、押え板の代わりにクロスないし十字形に組合せた形鋼を用いることを特徴とする。
本発明によると、請求項１記載の発明と同様の効果を奏するほか、形鋼は剛性が大であるため、アンカーボルトにより集中荷重を加え、その集中荷重が大であっても受圧構造物を強く均一に押え込むことができる。
【０００９】
請求項３記載の発明は、請求項１又は２記載の発明において、各受圧構造物は升目のサイズが異なり、脚は複数でそれぞれ断面が最小サイズの升目以下のサイズであることを特徴とする。
升目のサイズが異なる受圧構造物であっても、複数の脚を差し込むことにより、各受圧構造物は、上下に貫通した升目を形成することができる。
【００１０】
【発明の実施の形態】
図１において、大中小とサイズが異なる三個の受圧構造物１、２及び３はいづれもＦＲＰ製で、縦桟と横桟よりなる格子状をなし、升目がそれぞれ同じサイズとなっている。そして中央部に後述するアンカーボルトを通すため縦桟と横桟を十文字に切除している。
【００１１】
固定時においては図２に示すように、法面の地盤４にアンカーボルト５を固定し、突出部分に受圧構造物１、２及び３をサイズの大きなものから順に升目を揃えて切除部分で差込み、更にその上に押え板６を差込んでボルト突出端の袋ナット７を捩込んで受圧構造物１、２、３を締付けて法面に固定する。
【００１２】
本実施形態の受圧構造物によると、一つ一つの受圧構造物はＦＲＰ製で格子状をなすため軽量で、運搬が容易であり、しかも施工時には一本のアンカーボルトに受圧構造物を一つ一つ差込んで最後に押え板を差込み、ボルト突出端に袋ナットを捩込むだけで取付け作業が行われ、作業能率が向上すること、実質的に受圧構造物全体で土砂荷重を受けることができること、格子状であることにより法面に多少の凹凸があっても安定して取付けることができること、押え板を設けたことにより受圧構造物を強固に固定できること、格子状の受圧構造物を通して植生することができ、緑化により景観を向上させることができること等の効果を有する。
【００１３】
図３は、植生した受圧構造物１、２及び３を示すもので、図中９は、生い茂った雑草を示す。
上記実施形態では、各受圧構造物１、２及び３はサイズが異なっているが、別の実施形態では同じサイズのものが用いられる。
上記実施形態ではまた、受圧構造物を押え付けるのに押え板が用いられているが、別の実施形態では形鋼が用いられる。
図４は、Ｈ形鋼をクロスに組合わせて受圧構造物１１を押え付けた例を示すものである。
【００１４】
図５は、押え板１２の四隅に断面が受圧構造物の縦桟と横桟よるなる格子の升目と同形同大をなし、かつ長さが３個の受圧構造物１、２、３の厚みと同一をなす脚１３を突設した例を示すものである。
本実施形態によると、脚１３を受圧構造物１、２、３に差し込むことにより、各受圧構造物の升目が揃うようになる。
【００１５】
【発明の効果】
請求項１ないし３記載の発明によると、複数個重ねた受圧構造物の升目を揃えることができ、ことに請求項１記載の発明においては、複数個重ねた受圧構造物の升目に升目と同一の脚を通すことで受圧構造物同士のずれを防止できる。
【００１６】
更に請求項２記載の発明の形鋼においては、剛性が大であるため、アンカーボルトによる締付けを行った場合、形鋼全体で均一な押し力で受圧構造物を強く押え込むことができる。
【図面の簡単な説明】
【図１】本発明に係る受圧構造物の斜視図。
【図２】図１に示す受圧構造物を法面に固定した状態を示す図。
【図３】植生した受圧構造物の要部の拡大断面図。
【図４】受圧構造物をクロスに組合せたＨ形鋼で押え付けた例を示す斜視図。
【図５】受圧構造物を押える脚付押え板の斜視図。
【符号の説明】
１、２、３、１１・・受圧構造物
４・・地盤
５・・アンカーボルト
６、１２・・押え板
７・・袋ナット
９・・雑草
【図１】
0003727313.tif 000002
【図２】
0003727313.tif 000003
【図３】
0003727313.tif 000004
【図４】
0003727313.tif 000005
【図５】
0003727313.tif 000006